(57)【要約】【課題】安価且つ簡単な構成で警報を発することができ、且つスラットが破壊されずに潜り抜けられた場合にもそれを検出することができるブラインドを提供する。【解決手段】ヘッドボックス１２から垂下するラダーコード１４が複数のスラット１６を整列状態に支持し、ラダーコード１４の前後の垂直コードが相対的に上下動することによりスラットの傾斜を可変とし、ヘッドボックス１２から垂下する昇降コード１８が昇降することによってスラット１６を昇降可能としたブラインドにおいて、昇降コード１８またはラダーコード１４の弛みを検知可能な検知手段２８と、該検知手段２８からラダーコード１４の弛みが検知されると警報信号を出力する警報信号発生手段と、を備える。【選択図】  図５
2004332282.tif 000002
【特許請求の範囲】
【請求項１】
ヘッドボックス（１２）から垂下するラダーコード（１４）が複数のスラット（１６）を整列状態に支持し、ラダーコード（１４）の前後の垂直コードが相対的に上下動することによりスラット（１６）の傾斜を可変とし、ヘッドボックス（１２）から垂下する昇降コード（１８）が昇降することによってスラット（１６）を昇降可能としたブラインドにおいて、
昇降コード（１８）またはラダーコード（１４）の弛みまたはブラインドの揺動を検知可能な検知手段（２８、３８）と、該検知手段（２８、３８）によってラダーコード（１４）の弛みまたはブラインドの揺動が検知されると警報信号を出力する警報信号発生手段（５２）と、を備えることを特徴とするブラインド。
【請求項２】
さらに、警報信号発生手段（５２）からの警報信号を受けて音声を発生する音声発生手段（５４、５５）を備えることを特徴とする請求項１記載のブラインド。
【請求項３】
前記警報信号発生手段（５２）は、通常のスラット（１６）の昇降動作または回転動作において発生する弛みまたは揺動に対しては警報信号を出力しないことを特徴とする請求項１または２記載のブラインド。
【請求項４】
前記警報信号発生手段（５２）は、検知手段（３８）が検知する信号の強度が閾値を超えた場合に警報信号を出力することを特徴とする請求項３記載のブラインド。
【請求項５】
前記検知手段（２８、３８）は、通常のスラット（１６）の昇降動作または回転動作において発生する弛みまたは揺動に対しては弛みまたは揺動を検知しないことを特徴とする請求項１または２記載のブラインド。
【請求項６】
前記警報信号発生手段（５２）または検知手段（２８、３８）の作動／非作動を切り替える切換手段（２７）をヘッドボックス（１２）の外部から操作可能に設けたことを特徴とする請求項１ないし５のいずれか１項に記載のブラインド。
【発明の詳細な説明】
【０００１】
【発明の属する技術分野】
本発明は、ブラインドに関し、特に防犯機能が付いたブラインドに関する。
【０００２】
【従来の技術】
従来、この種の防犯機能が付いたブラインドとしては、スラットの破壊を電気的に検出する検出手段を具備したものが知られている（例えば、特許文献１参照。）。この検出手段は、スラットの破壊により断線され得るように、スラットに並設された導電性の検出線を具備している。そして、スラットに切断、曲折等の破壊行為がなされた場合には、検出線が断線され、検出線を含む電気回路が断状態になるので、これを検出して、警報を発したり又は警察若しくは警備会社に通報したりして、侵入者の阻止を図ることができる。
【０００３】
【特許文献１】
特開平９−２１２７８号公報
【０００４】
【発明が解決しようとする課題】
しかしながら、かかる従来の特許文献１に記載のものは、スラットに検出線を並設しなければならず、また、スラット同士の検出線を接続しなければならず、そのために、検出線を可撓性の接続検出線で接続したり、または、導電性の材料からなるリンクで接続する必要があり、その製造コスト及び原価コストが高価になるという問題がある。
【０００５】
また、かかる従来の特許文献１に記載の構成は、スラットが上昇しないブラインドにおいては有効であるが、スラットが上昇可能なブラインドにおいては、スラットを破壊しなくても、スラットを上昇させてその下を潜り抜けて室内等に侵入することができるために、意味がないという問題もある。
【０００６】
本発明はかかる課題に鑑みなされたもので、その目的は、安価且つ簡単な構成で警報を発することができ、且つスラットが破壊されずに潜り抜けられた場合にもそれを検出することができるブラインドを提供することである。
【０００７】
【課題を解決するための手段】
前述した目的を達成するために、請求項１記載の発明は、ヘッドボックスから垂下するラダーコードが複数のスラットを整列状態に支持し、ラダーコードの前後の垂直コードが相対的に上下動することによりスラットの傾斜を可変とし、ヘッドボックスから垂下する昇降コードが昇降することによってスラットを昇降可能としたブラインドにおいて、
昇降コードまたはラダーコードの弛みまたはブラインドの揺動を検知可能な検知手段と、該検知手段によってラダーコードの弛みまたはブラインドの揺動が検知されると警報信号を出力する警報信号発生手段と、を備えることを特徴とする。
【０００８】
ブラインドが設置された開口部から侵入者があり、ブラインドを潜り抜けようとして、スラットを持ち上げて再び下げる動作が行われると、コードの弛みまたはブラインドの揺動が発生し、検知手段がこれを検知して、警報信号発生手段が警報信号を出力する。ブラインドのスラットが破壊されるような場合にも、コードの弛みまたはブラインドの揺動は発生すれば、検知手段がこれを検知して、警報信号発生手段が警報信号を出力することができる。このようなコードの弛みまたはブラインドの揺動を検知する検知手段は、簡単に設定することができるので、安価に且つ簡単に構成することができる。また、スラットは、昇降コード及びラダーコードにより通常のブラインドと同様に、昇降動作及び回転動作を行わせることができる。
【０００９】
請求項２記載の発明は、請求項１記載のものにおいて、さらに、警報信号発生手段からの警報信号を受けて音声を発生する音声発生手段を備えることを特徴とする。
【００１０】
請求項３記載の発明は、請求項１または２記載のものにおいて、前記警報信号発生手段が、通常のスラットの昇降動作または回転動作において発生する弛みまたは揺動に対しては警報信号を出力しないことを特徴とする。これにより、通常のスラットの昇降動作または回転動作において警報の誤作動を抑制することができる。
【００１１】
請求項４記載の発明は、請求項３記載のものにおいて、前記警報信号発生手段は、検知手段が検知する信号の強度が閾値を超えた場合に警報信号を出力することを特徴とする。この信号の強度の大小によって、警報信号を出力するべき非常事態か、またはそれ以外の平常時かを識別することができ、警報の誤作動を抑制することができる。
【００１２】
請求項５記載の発明は、請求項１または２記載のものにおいて、前記検知手段は、通常のスラットの昇降動作または回転動作において発生する弛みまたは揺動に対しては弛みまたは揺動を検知しないことを特徴とする。これにより、検知手段が警報信号を出力するべき非常事態にのみ、警報信号を出力することができ、警報の誤作動を抑制することができる。
【００１３】
請求項６記載の発明は、請求項１ないし５のいずれかに記載のものにおいて、前記警報信号発生手段または検知手段の作動／非作動を切り替える切換手段をヘッドボックスの外部に操作可能に設けたことを特徴とする。これにより、監視する必要がないときには、切換手段により警報信号発生手段または検知手段を非作動とし通常のブラインド操作を可能とし、監視する必要があるときには、切換手段により警報信号発生手段または検知手段を作動させることができる。
【００１４】
【発明の実施の形態】
以下、図面を用いて本発明の実施の形態を説明する。
【００１５】
図１は本発明の実施形態によるブラインドを表す全体正面図、図２はその側面図である。図において、ブラインド１０は、窓、出入口等の開口部に設置されるもので、壁面または窓枠等にブラケット１３によって固定されるヘッドボックス１２を備えている。
【００１６】
ヘッドボックス１２からは、公知のブラインドと同様に、ラダーコード１４が垂下しており、ラダーコード１４によって複数のスラット１６が整列状態に支持されている。ラダーコード１４の上端は、ヘッドボックス１２内において、ラダーコード支持装置によってラダーコード１４の前後の垂直コードが相対的に上下動可能となっている。この垂直コードの上下動によって、スラット１６の傾斜が可変となっている。
【００１７】
ヘッドボックス１２からは昇降コード１８が昇降可能に垂下しており、昇降コード１８の一端は最下段スラット１６の下方にあるボトムレール２０に連結され、昇降コード１８の他端はヘッドボックス１２内に導入されて、ヘッドボックス１２内において、巻取ドラム２１に巻取り及び巻解き可能に連結されている。また、巻取ドラム２１を回転させるべく一体回転するシャフト２２がヘッドボックス１２内を長手方向に伸びている。前記ラダーコード支持装置もシャフト２２に対して所定角度範囲内で一体回転する。
【００１８】
この図示例のブラインドは電動ブラインドであり、シャフト２２を回転駆動する減速機付きモータ２４がヘッドボックス１２内に設けられている。減速機付きモータ２４が駆動されると、シャフト２２を介して巻取ドラム２１が回転して、その回転方向に応じて昇降コード１８が巻取ドラム２１に巻取りまたは巻解かれる。昇降コード１８が巻取ドラム２１に巻取られると、スラット１６が上昇し、昇降コード１８が巻取ドラム２１から巻き解かれると、スラット１６が下降する。こうして、昇降コード１８を昇降させることにより、スラット１６の昇降が可能となっている。以上の昇降コード１８及びラダーコード１４の操作は、コントローラ２６からの指令により行われる。また、コントローラ２６には、警報操作オン／オフを切り替える切換手段としてのモード切換スイッチ２７が設けられるとよい。このモード切換スイッチ２７は、コントローラ２６以外の場所、例えば、ヘッドボックス１２の側面等に外部から操作可能に設けることも可能である。
【００１９】
ヘッドボックス１２には、上記ラダーコード１４または昇降コード１８の弛みを検出する検知手段２８が設けられる。検知手段２８としては、例えば、図３に示すものを使用することができる。この例のものは、リミットスイッチを使用したもので、主に、ケース３０と、ケース３０に揺動可能に軸着されてその一端にラダーコード１４の垂直コードまたは昇降コード１８が挿通されるレバー３２と、レバー３２を図３における左回り方向に付勢すると共に、レバー３２が左回り方向に揺動すると接点が接続されて、コードに弛みが発生した検知信号を出力するリミットスイッチ３４とから構成される。
【００２０】
また、ヘッドボックス１２には、ＣＰＵを含む制御回路で構成される制御部４０が配設される。図４は、制御部４０の構成ブロック図である。制御部４０は、コントローラ２６からの信号を受けて指令信号を出力する回転・昇降制御手段４２と、指令信号を受けてモータ２４を駆動する駆動信号を出力するモータ駆動部４４と、警報信号発生手段５２と、音声信号発生手段５４と、警報信号送信手段５６と、操作オン／オフ識別手段５８とを備える。
【００２１】
警報信号発生手段５２は、検知手段２８からの検知信号と、操作オン／オフ識別手段５８からのオン／オフ信号とを受けるようになっており、検知信号がハイレベル、即ち弛み発生の信号を出力し、且つ操作オン／オフ識別手段５８からの信号がオン信号であった場合に、侵入者がありと判定して、警報信号を音声信号発生手段５４及び警報信号送信手段５６へと送信するものである。音声信号発生手段５４は、警報信号を受けると警報を発生するスピーカー５５へと信号を出力するもので、スピーカー５５と共に音声発生手段を構成する。警報信号送信手段５６は、警報信号発生手段５２からの信号を受けて、警報信号をブラインド１０外部の図示しない制御システムまたは他のセキュリティシステムに送信するものである。
【００２２】
以上のように構成されるブラインドにおいて、監視をする必要のない通常時は、コントローラ２６のモード切換スイッチ２７は、操作オフとなっている。また、ラダーコード１４及び昇降コード１８はスラット１６及びボトムレール２０の自重により、垂直に垂下されており、検知手段２８のレバー３２はコードからのテンションを受けて、図３の実線位置にある。
【００２３】
この状態で、コントローラ２６によって操作が行われると、その信号を受けて回転・昇降制御手段４２が指令信号を出力して、モータ駆動部４４を駆動して、モータ２４を作動させる。例えば、スラット１６を上昇させる場合には、巻取ドラム２１が昇降コード１８を巻取る方向に、スラット１６を下降させる場合には、巻取ドラム２１が昇降コード１８を巻解く方向に、モータ２４が回転する。このような動作において、昇降コード１８またはラダーコード１４に弛みが発生すると、何らかの異常が発生しているおそれがある。弛みが発生すると、レバー３２がもはやコードからテンションを受けなくなるので、図３の仮想線の位置にレバー３２が移動して、検知手段２８から検知信号が出力され、回転・昇降制御手段４２がモータ２４の回転を停止する。
【００２４】
検知手段２８からの検知信号は、警報信号発生手段５２へも入力されるが、警報信号発生手段５２では、操作オン／オフ識別手段５８からの信号がオフであるために、作動しない。
【００２５】
次に、例えば、外出時や就寝時のように監視を行う必要がある場合には、コントローラ２６のモード切換スイッチ２７を、操作オンに切り替える。正常時には、ラダーコード１４及び昇降コード１８はスラット１６及びボトムレール２０の自重により、垂直に垂下されており、検知手段２８のレバー３２はコードからのテンションを受けて、図３の実線位置にある。
【００２６】
仮に、開口部からの侵入者があり、ボトムレール２０を持ち上げて、ブラインド１０を潜り抜けようとすると（図５）、ラダーコード１４及び昇降コード１８は弛む為に、検知手段２８から検知信号が出力される。この信号が警報信号発生手段５２へと入力される。このとき、警報信号発生手段５２は、操作オン／オフ識別手段５８からの信号がオンとなっているかどうかを判定して、オンになっているために、警報信号を音声信号発生手段５４及び警報信号送信手段５６へと送信する。スピーカー５５からは警報音が出される。また、警報信号送信手段５６から警報信号が、他の制御システムまたは他のセキュリティシステムへと送信されて、他の防犯手段がとられる。
【００２７】
こうして、窓等からの侵入者がブラインド１０を潜り抜けたことを確実に検出するので、防犯を行うことができる。この侵入を検出する検知手段は、防犯機能専用として設けることも可能であるが、この実施形態のように、通常の操作時、特に下降動作中にボトムレール２０が障害物等にぶつかった時に下降動作を強制的に停止させる障害停止用に使用することができる検知手段２８と兼用することで、さらに安価に構成することができる。
【００２８】
図６は他の実施形態であり、検知手段３８として、ブラインド１０を潜り抜けることによりブラインド１０に発生する揺動を検出する加速度センサを使用した例である。加速度センサである検知手段３８は、ブラインド１０の任意の箇所に配置することができるが、この例では、シャフト２２の振動を検出する位置に配置している。ブラインド１０を潜り抜けると、スラット１６及びボトムレール２０が落下するときに、大きな加速度が発生するので、これを検出する。
【００２９】
図７に示すように、警報信号発生手段５２は、通常の範囲内の揺動と、ブラインド１０のスラット１６またはボトムレール２０が積極的に操作されたときに発生するときの揺動とを、明確に区別するための比較手段である比較回路５３を備えるとよい。比較回路５３は、設定の閾値と比較して、設定の閾値よりも揺動の振幅強度が大きい場合には、警報信号を出力し、設定の閾値よりも揺動の振幅強度が小さい場合には、警報信号を出力しない。これにより、侵入があったときのみ警報信号を出力することができる。
【００３０】
また、以上の各実施形態では、音声発生手段と警報信号送信手段５６の両方の手段を備えていたが、これに限るものではなく、一方のみとすることもできる。また、音声発生手段の変わりに警報灯を表示させるようにしてもよい。
【００３１】
また、以上の各実施形態では、モード切換スイッチ２７によって、警報信号発生手段５２が、検知手段２８、３８からの信号を受けて、通常の場合の検知信号かそれとも監視するべき場合の検知信号かを識別して、警報信号を発生するかどうかを決定していたが、これに限るものではなく、モード切換スイッチ２７によって、検知手段２８、３８への給電等を切り替えるなどして、通常の場合は検知信号が出力されないように、そして、監視するべき場合のみ検知信号を出力するように切り替えることも可能である。
【００３２】
また、この実施形態では、電動によりスラット１６の昇降及び回転動作をさせるブラインドについて説明したが、これに限るものではなく、スラット１６の昇降及び回転動作については手動で行うブラインドであっても同様に適用できることは言うまでもない。
【００３３】
【発明の効果】
以上説明したように、本発明によれば、ブラインドを潜り抜けるような侵入が行われたときにも、確実に警報信号を出力することができる。このようなコードの弛みまたはブラインドの揺動を検知する検知手段は、簡単に設定することができるので、安価に且つ簡単に構成することができる。また、スラットは、昇降コード及びラダーコードにより通常のブラインドと同様に、通常の動作として、昇降動作及び回転動作を行わせることができる。
【図面の簡単な説明】
【図１】本発明の実施形態によるブラインドを表す全体正面図である。
【図２】図１のブラインドの側面図である。
【図３】検知手段の一例を表す内部構成図である。
【図４】制御部の構成ブロック図である。
【図５】ブラインドを持ち上げた場合の図である。
【図６】本発明の他の実施形態によるブラインドを表す全体正面図である。
【図７】図６の実施形態における制御部の警報信号発生手段のブロック図である。
【符号の説明】
１０  ブラインド
１２  ヘッドボックス
１４  ラダーコード
１６  スラット
１８  昇降コード
２７  モード切換スイッチ
２８、３８  検知手段
５２  警報信号発生手段
５４  音声信号発生手段
５５  スピーカー
【図１】
2004332282.tif 000003
【図２】
2004332282.tif 000004
【図３】
2004332282.tif 000005
【図４】
2004332282.tif 000006
【図５】
2004332282.tif 000007
【図６】
2004332282.tif 000008
【図７】
2004332282.tif 000009